【手続補正書】
【提出日】平成21年11月6日(2009.11.6)
【手続補正１】
【補正対象書類名】明細書
【補正対象項目名】特許請求の範囲
【補正方法】変更
【補正の内容】
【特許請求の範囲】
【請求項１】  プリンタに供給すべきプリント媒体を収納するためのプリンタ用消耗材収納容器であって、収納しているプリント媒体に対して行われるプリントのレイアウトに関連したレイアウト関連情報として、前記収納しているプリント媒体へのプリント可能位置およびプリント範囲を示すレイアウト情報と、レイアウト情報に対応して定められたレイアウト識別情報との少なくとも一方を記憶する記憶手段を具えたことを特徴とするプリンタ用消耗材収納容器。
【請求項２】  前記プリント可能位置および範囲が異なる複数種類のプリント媒体を収納するとともに、前記記憶手段は、前記複数種類のプリント媒体に対応して複数の前記レイアウト情報およびレイアウト識別情報の少なくとも一方を記憶することを特徴とする請求項１に記載のプリンタ用消耗材収納容器。
【請求項３】  前記記憶手段は不揮発性の記憶手段であることを特徴とする請求項１または２に記載のプリンタ用消耗材収納容器。
【請求項４】  画像情報の表示手段を具えたデジタルカメラにおいて、
画像情報をプリントするためのプリント媒体のレイアウトに関連したレイアウト関連情報として、前記プリント媒体へのプリント可能位置およびプリント範囲を示すレイアウト情報と、レイアウト情報に対応して定められたレイアウト識別情報との少なくとも一方を取得する情報取得手段と、
当該取得したレイアウト関連情報を前記表示手段に表示させる表示処理手段と、
を具えたことを特徴とするデジタルカメラ。
【請求項５】  撮影された画像情報を記憶する手段を具え、前記表示手段は、撮影される画像情報の確認および前記記憶手段に記憶された画像情報の確認に供される表示を行うことを特徴とする請求項４に記載のデジタルカメラ。
【請求項６】  前記表示処理手段は、前記表示手段に画像情報とともに前記レイアウト関連情報を表示させることを特徴とする請求項４または５に記載のデジタルカメラ。
【請求項７】  前記表示処理手段は、前記レイアウト情報に基づく前記プリント可能位置およびプリント範囲を示すレイアウト画像の前記表示手段への表示処理と、前記レイアウト識別情報に基づくレイアウト名の前記表示手段への表示処理との少なくとも一方を行うことを特徴とする請求項４ないし６のいずれかに記載のデジタルカメラ。
【請求項８】  前記画像情報に対し、前記レイアウト関連情報に基づいたレイアウトでのプリントを行うための画像処理を施す手段をさらに具えたことを特徴とする請求項４ないし７のいずれかに記載のデジタルカメラ。
【請求項９】  請求項１ないし３のいずれかに記載のプリンタ用消耗材収納容器が着脱可能で、請求項４ないし８のいずれかに記載のデジタルカメラから供給される画像データを、前記プリンタ用消耗材収納容器から供給されるプリント媒体にプリントする手段を具えたことを特徴とするプリンタ。
【請求項１０】  前記プリント手段は、前記プリント媒体にインクを吐出することによりプリントを行うインクジェット記録ヘッドを用いることを特徴とする請求項９に記載のプリンタ。
【請求項１１】  前記インクジェット記録ヘッドは、インクを吐出するために利用されるエネルギとして、インクに膜沸騰を生じさせる熱エネルギを発生する素子を有することを特徴とする請求項１０に記載のプリンタ。
【請求項１２】  請求項９ないし１１のいずれかに記載のプリンタを一体に具えたことを特徴とする請求項４ないし８のいずれかに記載のデジタルカメラ。
【請求項１３】  画像情報の表示手段を具えたデジタルカメラのデータ処理方法において、
画像情報をプリントするためのプリント媒体のレイアウトに関連したレイアウト関連情報として、前記プリント媒体へのプリント可能位置およびプリント範囲を示すレイアウト情報と、レイアウト情報に対応して定められたレイアウト識別情報との少なくとも一方を取得する情報取得工程と、
当該取得したレイアウト関連情報を前記表示手段に表示させる表示処理工程と、
を具えたことを特徴とするデジタルカメラのデータ処理方法。
【請求項１４】  撮影された画像情報を記憶する手段を具え、前記表示手段は、撮影される画像情報の確認および前記記憶手段に記憶された画像情報の確認に供される表示を行うことを特徴とする請求項１３に記載のデジタルカメラのデータ処理方法。
【請求項１５】  前記表示処理工程は、前記表示手段に画像情報とともに前記レイアウト関連情報を表示させることを特徴とする請求項１３または１４に記載のデジタルカメラのデータ処理方法。
【請求項１６】  前記表示処理工程は、前記レイアウト情報に基づく前記プリント可能位置およびプリント範囲を示すレイアウト画像の前記表示手段への表示処理と、前記レイアウト識別情報に基づくレイアウト名の前記表示手段への表示処理との少なくとも一方を行うことを特徴とする請求項１３ないし１５のいずれかに記載のデジタルカメラのデータ処理方法。
【請求項１７】  前記画像情報に対し、前記レイアウト関連情報に基づいたレイアウトでのプリントを行うための画像処理を施す工程をさらに具えたことを特徴とする請求項１３ないし１６のいずれかに記載のデジタルカメラのデータ処理方法。
【請求項１８】  請求項４ないし８のいずれか、または請求項１２に記載のデジタルカメラに、請求項１３ないし１７のいずれかに記載の表示処理方法を実施させるための制御プログラム。
【手続補正２】
【補正対象書類名】明細書
【補正対象項目名】００１４
【補正方法】変更
【補正の内容】
【００１４】
【課題を解決するための手段】
そのために、本発明は、プリンタに供給すべきプリント媒体を収納するためのプリンタ用消耗材収納容器であって、収納しているプリント媒体に対して行われるプリントのレイアウトに関連したレイアウト関連情報として、前記収納しているプリント媒体へのプリント可能位置およびプリント範囲を示すレイアウト情報と、レイアウト情報に対応して定められたレイアウト識別情報との少なくとも一方を記憶する記憶手段を具えたことを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１８
【補正方法】変更
【補正の内容】
【００１８】
また、本発明は、画像情報の表示手段を具えたデジタルカメラにおいて、
画像情報をプリントするためのプリント媒体のレイアウトに関連したレイアウト関連情報として、前記プリント媒体へのプリント可能位置およびプリント範囲を示すレイアウト情報と、レイアウト情報に対応して定められたレイアウト識別情報との少なくとも一方を取得する情報取得手段と、
当該取得したレイアウト関連情報を前記表示手段に表示させる表示処理手段と、を具えたことを特徴とする。
【手続補正５】
【補正対象書類名】明細書
【補正対象項目名】００１９
【補正方法】変更
【補正の内容】
【００１９】
また、本発明は、画像情報の表示手段を具えたデジタルカメラのデータ処理方法において、
画像情報をプリントするためのプリント媒体のレイアウトに関連したレイアウト関連情報として、前記プリント媒体へのプリント可能位置およびプリント範囲を示すレイアウト情報と、レイアウト情報に対応して定められたレイアウト識別情報との少なくとも一方を取得する情報取得工程と、
当該取得したレイアウト関連情報を前記表示手段に表示させる表示処理工程と、を具えたことを特徴とする。
【手続補正６】
【補正対象書類名】明細書
【補正対象項目名】００２２
【補正方法】変更
【補正の内容】
【００２２】
さらに、前記表示処理手段または工程は、前記レイアウト情報に基づく前記プリント可能位置およびプリント範囲を示すレイアウト画像の前記表示手段への表示処理と、前記レイアウト識別情報に基づくレイアウト名の前記表示手段への表示処理との少なくとも一方を行うものとすることができる。